(57)【要約】【課題】端末コンピュータにおいて、コンピュータネットワークを介してやり取り可能な情報をアラーム機能と連携させる。【解決手段】端末コンピュータは、アラーム時刻を設定するアラーム設定部と；アラーム時刻に達する際、アラームを出力するアラーム出力部と；アラームの出力を停止するアラーム停止部と；アラーム時刻を設定した使用者を識別可能なユーザ情報を前記管理サーバに送信するユーザ情報送信部と、管理サーバにユーザ情報が送信された使用者に対して管理サーバにおいて実施される抽選の結果を示す抽選結果を、管理サーバから受信する結果受信部と；アラーム停止部によるアラームの出力停止に応じて抽選結果を報知する結果報知部とを備える。【選択図】図２
2018128880.tif 000002
【特許請求の範囲】
【請求項１】
アラームシステムであって、
使用者によって操作可能に構成された端末コンピュータと、
前記端末コンピュータとコンピュータネットワークを介してデータをやり取り可能に構成された管理サーバと
を備え、
前記端末コンピュータは、
アラームを出力すべき時刻であるアラーム時刻を、前記使用者による入力に応じて設定するアラーム設定部と、
前記アラーム設定部によって設定される前記アラーム時刻に達する際、前記使用者によって認識可能なアラームを出力するアラーム出力部と、
前記使用者による入力に応じて、前記アラーム出力部による前記アラームの出力を停止するアラーム停止部と、
前記アラーム時刻を設定した前記使用者を識別可能なユーザ情報を前記管理サーバに送信するユーザ情報送信部と、
前記ユーザ情報送信部によって前記管理サーバに前記ユーザ情報が送信された前記使用者に対して前記管理サーバにおいて実施される抽選の結果を示す抽選結果を、前記管理サーバから受信する結果受信部と、
前記アラーム停止部による前記アラームの出力停止に応じて、前記結果受信部によって受信される前記抽選結果を報知する結果報知部と
を含み、
前記管理サーバは、
前記ユーザ情報を前記端末コンピュータから受信するユーザ情報受信部と、
前記ユーザ情報受信部によって前記ユーザ情報が受信された前記使用者に対する抽選を実施する抽選部と、
前記抽選部によって実施される前記抽選の結果を示す抽選結果を前記端末コンピュータに送信する結果送信部と
を含む、アラームシステム。
【請求項２】
請求項１に記載のアラームシステムであって、
前記端末コンピュータは、更に、前記アラーム停止部による前記アラームの停止を前記管理サーバに通知する停止通知部を含み、
前記管理サーバの前記抽選部は、前記停止通知部による前記アラームの停止通知に応じて前記抽選を実施し、
前記管理サーバの前記結果送信部は、前記停止通知部による前記アラームの停止通知に応じて前記抽選結果を前記端末コンピュータに送信する、アラームシステム。
【請求項３】
請求項１に記載のアラームシステムであって、
前記端末コンピュータは、更に、前記アラーム設定部による前記アラーム時刻の設定を前記管理サーバに通知する設定通知部を含み、
前記管理サーバの前記抽選部は、前記設定通知部による前記アラーム時刻の設定通知に応じて前記抽選を実施し、
前記管理サーバの前記結果送信部は、前記設定通知部による前記アラーム時刻の設定通知に応じて前記抽選結果を前記端末コンピュータに送信する、アラームシステム。
【請求項４】
請求項３に記載のアラームシステムであって、
前記端末コンピュータは、更に、
前記アラーム時刻から所定期間中に前記アラーム停止部によって前記アラームの出力が停止されない場合、前記結果受信部によって受信される前記抽選結果を破棄する結果破棄部と、
前記結果破棄部による前記抽選結果の破棄を前記管理サーバに通知する破棄通知部と
を含み、
前記管理サーバは、更に、前記破棄通知部による前記抽選結果の破棄通知に応じて、前記抽選結果を無効にする結果無効部を含む、アラームシステム。
【請求項５】
請求項１から請求項４までのいずれか一項に記載のアラームシステムであって、
前記端末コンピュータは、更に、前記アラーム設定部によって設定される前記アラーム時刻と、前記アラーム停止部によって前記アラームを停止した停止時刻との少なくとも一方を、前記管理サーバに通知する時刻通知部を備え、
前記管理サーバは、更に、前記時刻通知部によって通知される前記アラーム時刻および前記停止時刻の少なくとも一方を、前記端末コンピュータに関連付けられた他の端末コンピュータに通知する関連通知部を含む、アラームシステム。
【請求項６】
請求項１から請求項５までのいずれか一項に記載のアラームシステムであって、
前記管理サーバは、更に、前記使用者が参加可能な抽選キャンペーンを前記端末コンピュータに通知するキャンペーン通知部を含み、
前記端末コンピュータは、更に、
前記管理サーバから通知される前記抽選キャンペーンを前記使用者に提示するキャンペーン提示部と、
前記キャンペーン提示部によって提示される抽選キャンペーンの中から、前記使用者が参加する抽選キャンペーンを、前記使用者による入力に基づいて選択するキャンペーン選択部と、
前記キャンペーン選択部によって選択される抽選キャンペーンを、前記使用者が参加する抽選キャンペーンとして前記管理サーバに通知する参加通知部と
を含み、
前記管理サーバの前記抽選部は、前記ユーザ情報受信部によって前記ユーザ情報が受信された前記使用者に対して、前記使用者が参加している抽選キャンペーンに関連付けられた抽選を実施する、アラームシステム。
【請求項７】
請求項１から請求項６までのいずれか一項に記載のアラームシステムであって、
前記管理サーバは、更に、前記抽選に関連付けられた音声データを前記端末コンピュータに送信する音声データ送信部を含み、
前記端末コンピュータは、更に、
前記音声データを前記管理サーバから受信する音声データ受信部と、
前記管理サーバから受信した前記音声データを記憶する音声データ記憶部と、
前記抽選に関連付けられた期間の経過後、前記音声データ記憶部から前記音声データを消去する音声データ消去部と
を含み、
前記端末コンピュータの前記アラーム出力部は、前記アラーム設定部によって設定される前記アラーム時刻に達する際、前記音声データ記憶部に記憶されている前記音声データを前記アラームとして出力する、アラームシステム。
【請求項８】
請求項１から請求項６までのいずれか一項に記載のアラームシステムであって、
前記管理サーバは、更に、前記抽選に関連付けられた音声データをストリーミング方式で前記端末コンピュータに送信する音声データ送信部を含み、
前記端末コンピュータの前記アラーム出力部は、前記アラーム設定部によって設定される前記アラーム時刻に達する際、ストリーミング方式で前記管理サーバから送信される前記音声データを前記アラームとして出力する、アラームシステム。
【請求項９】
使用者によって操作可能に構成されるとともに管理サーバとコンピュータネットワークを介してデータをやり取り可能に構成された端末コンピュータであって、
アラームを出力すべき時刻であるアラーム時刻を、前記使用者による入力に応じて設定するアラーム設定部と、
前記アラーム設定部によって設定される前記アラーム時刻に達する際、前記使用者によって認識可能なアラームを出力するアラーム出力部と、
前記使用者による入力に応じて、前記アラーム出力部による前記アラームの出力を停止するアラーム停止部と、
前記アラーム時刻を設定した前記使用者を識別可能なユーザ情報を前記管理サーバに送信するユーザ情報送信部と、
前記ユーザ情報送信部によって前記管理サーバに前記ユーザ情報が送信された前記使用者に対して前記管理サーバにおいて実施される抽選の結果を示す抽選結果を、前記管理サーバから受信する結果受信部と、
前記アラーム停止部による前記アラームの出力停止に応じて、前記結果受信部によって受信される前記抽選結果を報知する結果報知部と
を備える端末コンピュータ。
【請求項１０】
使用者によって操作可能に構成されるとともに管理サーバとコンピュータネットワークを介してデータをやり取り可能に構成された端末コンピュータに、
アラームを出力すべき時刻であるアラーム時刻を、前記使用者による入力に応じて設定するアラーム設定機能と、
前記アラーム設定機能によって設定される前記アラーム時刻に達する際、前記使用者によって認識可能なアラームを出力するアラーム出力機能と、
前記使用者による入力に応じて、前記アラーム出力機能による前記アラームの出力を停止するアラーム停止機能と、
前記アラーム時刻を設定した前記使用者を識別可能なユーザ情報を前記管理サーバに送信するユーザ情報送信機能と、
前記ユーザ情報送信機能によって前記管理サーバに前記ユーザ情報が送信された前記使用者に対して前記管理サーバにおいて実施される抽選の結果を示す抽選結果を、前記管理サーバから受信する結果受信機能と、
前記アラーム停止機能による前記アラームの出力停止に応じて、前記結果受信機能によって受信される前記抽選結果を報知する結果報知機能と
を実現させるためのプログラム。
【発明の詳細な説明】
【技術分野】
【０００１】
本明細書は、アラームシステム、端末コンピュータおよびプログラムを開示する。
【背景技術】
【０００２】
特許文献１には、予め設定されたアラーム時刻にアラームを出力するアラーム機能を有する端末コンピュータについて開示されている。このようなアラーム機能は、目覚まし時計としても利用可能である。特許文献２には、アラーム機能を有する端末コンピュータと、コンピュータネットワークを介して端末コンピュータを管理する管理サーバとを備えるアラームシステムについて開示されている。
【先行技術文献】
【特許文献】
【０００３】
【特許文献１】特開２０１１−１６３８６０号公報
【特許文献２】特開２０１１−１３５５１６号公報
【発明の概要】
【発明が解決しようとする課題】
【０００４】
端末コンピュータにおいて、コンピュータネットワークを介してやり取り可能な情報をアラーム機能と連携させることについて、十分な検討がなされていなかった。
【課題を解決するための手段】
【０００５】
（１）本明細書に開示する一形態におけるアラームシステムは、使用者によって操作可能に構成された端末コンピュータと；前記端末コンピュータとコンピュータネットワークを介してデータをやり取り可能に構成された管理サーバとを備える。前記端末コンピュータは、アラームを出力すべき時刻であるアラーム時刻を、前記使用者による入力に応じて設定するアラーム設定部と；前記アラーム設定部によって設定される前記アラーム時刻に達する際、前記使用者によって認識可能なアラームを出力するアラーム出力部と；前記使用者による入力に応じて、前記アラーム出力部による前記アラームの出力を停止するアラーム停止部と；前記アラーム時刻を設定した前記使用者を識別可能なユーザ情報を前記管理サーバに送信するユーザ情報送信部と；前記ユーザ情報送信部によって前記管理サーバに前記ユーザ情報が送信された前記使用者に対して前記管理サーバにおいて実施される抽選の結果を示す抽選結果を、前記管理サーバから受信する結果受信部と；前記アラーム停止部による前記アラームの出力停止に応じて、前記結果受信部によって受信される前記抽選結果を報知する結果報知部とを含む。前記管理サーバは、前記ユーザ情報を前記端末コンピュータから受信するユーザ情報受信部と；前記ユーザ情報受信部によって前記ユーザ情報が受信された前記使用者に対する抽選を実施する抽選部と；前記抽選部によって実施される前記抽選の結果を示す抽選結果を前記端末コンピュータに送信する結果送信部とを含む。この形態によれば、端末コンピュータにおいてアラーム時刻の設定を行った使用者に対する抽選を管理サーバにおいて実施した後、その抽選結果を端末コンピュータにおいてアラームの出力停止に応じて報知できる。そのため、抽選結果に対する期待感を使用者に抱かせることによって、アラーム時刻にアラームの出力を停止することに対する使用者の意欲を向上させることができる。その結果、設定された時刻に使用者を覚醒させるアラーム機能を向上させることができる。
【０００６】
（２）上述のアラームシステムにおいて、前記端末コンピュータは、更に、前記アラーム停止部による前記アラームの停止を前記管理サーバに通知する停止通知部を含んでもよい。前記管理サーバの前記抽選部は、前記停止通知部による前記アラームの停止通知に応じて前記抽選を実施してもよい。前記管理サーバの前記結果送信部は、前記停止通知部による前記アラームの停止通知に応じて前記抽選結果を前記端末コンピュータに送信してもよい。この形態によれば、端末コンピュータにおけるアラームの停止を契機として、管理サーバにおいて抽選を実施できる。
【０００７】
（３）上述のアラームシステムにおいて、前記端末コンピュータは、更に、前記アラーム設定部による前記アラーム時刻の設定を前記管理サーバに通知する設定通知部を含んでもよい。前記管理サーバの前記抽選部は、前記設定通知部による前記アラーム時刻の設定通知に応じて前記抽選を実施してもよい。前記管理サーバの前記結果送信部は、前記設定通知部による前記アラーム時刻の設定通知に応じて前記抽選結果を前記端末コンピュータに送信してもよい。この形態によれば、端末コンピュータにおけるアラーム時刻の設定を契機として、管理サーバにおいて抽選を実施できる。また、アラーム時刻を設定する際に端末コンピュータにおいて抽選結果を予め受信することによって、アラームの出力を停止する際に管理サーバと端末コンピュータとの間の通信が不安定である場合であっても抽選結果を円滑に報知できる。
【０００８】
（４）上述のアラームシステムにおいて、前記端末コンピュータは、更に、前記アラーム時刻から所定期間中に前記アラーム停止部によって前記アラームの出力が停止されない場合、前記結果受信部によって受信される前記抽選結果を破棄する結果破棄部と；前記結果破棄部による前記抽選結果の破棄を前記管理サーバに通知する破棄通知部とを含んでもよい。前記管理サーバは、更に、前記破棄通知部による前記抽選結果の破棄通知に応じて、前記抽選結果を無効にする結果無効部を含んでもよい。この形態によれば、使用者による入力に応じてアラームの出力が停止されない場合に抽選結果が無効になるため、アラーム時刻にアラームの出力を停止することに対する使用者の意欲をいっそう向上させることができる。
【０００９】
（５）上述のアラームシステムにおいて、前記端末コンピュータは、更に、前記アラーム設定部によって設定される前記アラーム時刻と、前記アラーム停止部によって前記アラームを停止した停止時刻との少なくとも一方を、前記管理サーバに通知する時刻通知部を備えてもよい。前記管理サーバは、更に、前記時刻通知部によって通知される前記アラーム時刻および前記停止時刻の少なくとも一方を、前記端末コンピュータに関連付けられた他の端末コンピュータに通知する関連通知部を含んでもよい。この形態によれば、端末コンピュータにおけるアラーム時刻および停止時刻の少なくとも一方を、他の端末コンピュータにおいて利用できる。例えば、端末コンピュータにおけるアラーム時刻および停止時刻の少なくとも一方を、他の端末コンピュータを使用する使用者に対して報知してもよい。
【００１０】
（６）上述のアラームシステムにおいて、前記管理サーバは、更に、前記使用者が参加可能な抽選キャンペーンを前記端末コンピュータに通知するキャンペーン通知部を含んでもよい。前記端末コンピュータは、更に、前記管理サーバから通知される前記抽選キャンペーンを前記使用者に提示するキャンペーン提示部と；前記キャンペーン提示部によって提示される抽選キャンペーンの中から、前記使用者が参加する抽選キャンペーンを、前記使用者による入力に基づいて選択するキャンペーン選択部と；前記キャンペーン選択部によって選択される抽選キャンペーンを、前記使用者が参加する抽選キャンペーンとして前記管理サーバに通知する参加通知部とを含んでもよい。前記管理サーバの前記抽選部は、前記ユーザ情報受信部によって前記ユーザ情報が受信された前記使用者に対して、前記使用者が参加している抽選キャンペーンに関連付けられた抽選を実施してもよい。この形態によれば、端末コンピュータの使用者が所望する抽選キャンペーンの抽選結果を、アラームの出力停止に応じて報知できる。そのため、抽選結果に対する更なる期待感を使用者に抱かせることによって、アラーム時刻にアラームの出力を停止することに対する使用者の意欲をいっそう向上させることができる。
【００１１】
（７）上述のアラームシステムにおいて、前記管理サーバは、更に、前記抽選に関連付けられた音声データを前記端末コンピュータに送信する音声データ送信部を含んでもよい。前記端末コンピュータは、更に、前記音声データを前記管理サーバから受信する音声データ受信部と；前記管理サーバから受信した前記音声データを記憶する音声データ記憶部と；前記抽選に関連付けられた期間の経過後、前記音声データ記憶部から前記音声データを消去する音声データ消去部とを含んでもよい。前記端末コンピュータの前記アラーム出力部は、前記アラーム設定部によって設定される前記アラーム時刻に達する際、前記音声データ記憶部に記憶されている前記音声データを前記アラームとして出力してもよい。この形態によれば、抽選に関連付けられた音声データを端末コンピュータにおいてアラームとして出力できる。また、抽選に関連付けられた期間の経過後には、抽選に関連付けられた音声データが端末コンピュータから消去されるため、音声データの不正使用を防止できる。
【００１２】
（８）上述のアラームシステムにおいて、前記管理サーバは、更に、前記抽選に関連付けられた音声データをストリーミング方式で前記端末コンピュータに送信する音声データ送信部を含んでもよい。前記端末コンピュータの前記アラーム出力部は、前記アラーム設定部によって設定される前記アラーム時刻に達する際、ストリーミング方式で前記管理サーバから送信される前記音声データを前記アラームとして出力してもよい。この形態によれば、抽選に関連付けられた音声データを端末コンピュータにおいてアラームとして出力できる。また、ストリーミング方式で送信される音声データは、アラームとして出力された後に端末コンピュータから消去されるため、音声データの不正使用を防止できる。
【００１３】
本明細書に記載する技術は、アラームシステムのほか、種々の形態で実現できる。本発明は、例えば、上述のアラームシステムにおける端末コンピュータ、その端末コンピュータに上述の機能を実現させるためのプログラム、上述のアラームシステムにおける管理サーバ、その管理サーバに上述の機能を実現させるためのプログラム、ならびに、上述のアラームシステムを実施する方法などの形態で実現できる。
【図面の簡単な説明】
【００１４】
【図１】アラームシステムを示す説明図である。
【図２】端末コンピュータの詳細構成を示す説明図である。
【図３】管理サーバの詳細構成を示す説明図である。
【図４】アラームシステムの動作を示す説明図である。
【図５】アラーム時刻を設定する操作入力を受け付けるグラフィカルユーザインタフェースの一例を示す説明図である。
【図６】アラームを停止する操作入力を受け付けるグラフィカルユーザインタフェースの一例を示す説明図である。
【図７】アラーム時刻を設定する操作入力を受け付けるグラフィカルユーザインタフェースの一例を示す説明図である。
【図８】第２実施形態におけるアラームシステムの動作を示す説明図である。
【図９】第３実施形態におけるアラームシステムの動作を示す説明図である。
【図１０】第４実施形態の管理サーバの詳細構成を示す説明図である。
【図１１】第５実施形態のアラームシステムにおける端末コンピュータおよび管理サーバの詳細構成を示す説明図である。
【図１２】抽選キャンペーンを選択する操作入力を受け付けるグラフィカルユーザインタフェースの一例を示す説明図である。
【図１３】第６実施形態のアラームシステムにおける端末コンピュータおよび管理サーバの詳細構成を示す説明図である。
【図１４】第７実施形態のアラームシステムにおける端末コンピュータおよび管理サーバの詳細構成を示す説明図である。
【発明を実施するための形態】
【００１５】
Ａ．第１実施形態
図１は、アラームシステム１０を示す説明図である。アラームシステム１０は、予め設定されたアラーム時刻にアラームを出力するアラーム機能を実現するシステムである。アラームシステム１０は、端末コンピュータ１００と、管理サーバ２００とを備える。本実施形態では、アラームシステム１０は、更に、管理コンピュータ３００を備える。
【００１６】
アラームシステム１０の端末コンピュータ１００は、使用者によって操作可能に構成されたコンピュータである。端末コンピュータ１００は、スマートフォンおよびタブレットのいずれであってもよい。端末コンピュータ１００は、端末コンピュータ１００の使用者によって設定されたアラーム時刻にアラームを出力するアラーム機能を備える。端末コンピュータ１００のアラーム機能は、目覚まし時計としても利用可能である。
【００１７】
アラームシステム１０の管理サーバ２００は、端末コンピュータ１００とコンピュータネットワーク８００を介してデータをやり取り可能に構成されたコンピュータである。管理サーバ２００は、コンピュータネットワーク８００を介して端末コンピュータ１００のアラーム機能を管理する。本実施形態では、管理サーバ２００は、複数の端末コンピュータ１００とコンピュータネットワーク８００を介してデータをやり取り可能である。コンピュータネットワーク８００は、インターネットを含むコンピュータネットワークである。
【００１８】
アラームシステム１０の管理コンピュータ３００は、管理サーバ２００とコンピュータネットワーク８００を介してデータをやり取り可能に構成されたコンピュータである。管理コンピュータ３００は、パーソナルコンピュータ、スマートフォンおよびタブレットのいずれであってもよい。管理コンピュータ３００は、アラームシステム１０を管理する管理者の操作入力に基づいて、管理サーバ２００を制御する。
【００１９】
図２は、端末コンピュータ１００の詳細構成を示す説明図である。端末コンピュータ１００は、アラーム機能に関する構成として、アラーム設定部１６２と、アラーム出力部１６４と、アラーム停止部１６６と、停止通知部１７２と、結果受信部１７４と、結果報知部１７６とを備える。本実施形態では、端末コンピュータ１００においてアラーム機能に関する構成は、アプリケーションソフトウェア（Application Software）であるアラームアプリケーション１５０に基づいてソフトウェア的に実現される。他の実施形態では、端末コンピュータ１００におけるアラーム機能に関する構成の少なくとも一部は、回路構成に基づいてハードウェア的に実現されてもよい。
【００２０】
本実施形態では、端末コンピュータ１００は、更に、タッチパネル１１２と、スピーカ１１４とを備える。タッチパネル１１２は、使用者による操作入力を感知するとともに画像を表示する。スピーカ１１４は、音声および音楽などの音を出力する。
【００２１】
端末コンピュータ１００のアラーム設定部１６２は、アラームを出力すべき時刻であるアラーム時刻を、使用者による入力に応じて設定する。本実施形態では、アラーム設定部１６２は、タッチパネル１１２を通じた使用者による入力に応じて、アラーム時刻を設定する。本実施形態では、アラーム設定部１６２は、アラーム時刻の設定を管理サーバ２００に通知する設定通知部としても動作する。本実施形態では、設定通知部として動作するアラーム設定部１６２は、使用者を識別可能なユーザ情報とともに、アラーム時刻の設定を管理サーバ２００に通知する。他の実施形態では、アラーム設定部１６２は、アラーム時刻の設定を管理サーバ２００に通知しなくてもよい。
【００２２】
端末コンピュータ１００のアラーム出力部１６４は、アラーム設定部１６２によって設定されるアラーム時刻に達する際、使用者によって認識可能なアラームを出力する。本実施形態では、アラーム出力部１６４は、使用者によって認識可能なアラームの出力として、タッチパネル１１２にアラーム時刻である旨を示す画像を表示するとともに、スピーカ１１４から音を発生させる。他の実施形態では、アラーム出力部１６４は、使用者によって認識可能なアラームの出力として、タッチパネル１１２における画像の表示と、スピーカ１１４からの音の出力との一方を実施してもよい。他の実施形態では、アラーム出力部１６４は、使用者によって認識可能なアラームの出力として、振動モータ（図示しない）を用いて端末コンピュータ１００を振動させてもよい。
【００２３】
端末コンピュータ１００のアラーム停止部１６６は、使用者による入力に応じて、アラーム出力部１６４によるアラームの出力を停止する。本実施形態では、アラーム停止部１６６は、タッチパネル１１２を通じた使用者による入力に応じて、アラーム出力部１６４によるアラームの出力を停止する。
【００２４】
端末コンピュータ１００の停止通知部１７２は、アラーム停止部１６６によるアラームの停止を管理サーバ２００に通知する。本実施形態では、停止通知部１７２は、アラーム時刻を設定した使用者を識別可能なユーザ情報を管理サーバ２００に送信するユーザ情報送信部としても動作する。本実施形態では、ユーザ情報送信部として動作する停止通知部１７２は、使用者を識別可能なユーザ情報とともに、アラームの停止を管理サーバ２００に通知する。
【００２５】
端末コンピュータ１００の結果受信部１７４は、停止通知部１７２（ユーザ情報送信部）によって管理サーバ２００にユーザ情報が送信された使用者に対して管理サーバ２００において実施される抽選の結果を示す抽選結果を、管理サーバ２００から受信する。本実施形態では、管理サーバ２００は、停止通知部１７２によるアラームの停止通知に応じて、使用者に対する抽選を実施し、その抽選結果を端末コンピュータ１００へ送信する。
【００２６】
アラームシステム１０の結果報知部１７６は、アラーム停止部１６６によるアラームの出力停止に応じて、結果受信部１７４によって受信される抽選結果を報知する。本実施形態では、結果報知部１７６は、抽選結果の報知として、抽選結果を示す画像をタッチパネル１１２に表示する。他の実施形態では、結果報知部１７６は、抽選結果の報知として、抽選結果を示す音をスピーカ１１４から出力してもよい。
【００２７】
図３は、管理サーバ２００の詳細構成を示す説明図である。管理サーバ２００は、アラーム機能に関する構成として、ユーザ情報受信部２３２と、抽選部２３４と、結果送信部２３６とを備える。本実施形態では、管理サーバ２００におけるアラーム機能に関する構成は、コンピュータプログラムに基づいてソフトウェア的に実現される。他の実施形態では、管理サーバ２００における各構成の少なくとも一部は、回路構成に基づいてハードウェア的に実現されてもよい。
【００２８】
本実施形態では、管理サーバ２００は、更に、アラーム機能を利用する端末コンピュータ１００の使用者に関するデータベースを記憶する記憶部２１０を備える。本実施形態では、記憶部２１０のデータベースは、使用者を識別可能なユーザ情報と、抽選結果を示す情報とを含む。記憶部２１０のデータベースは、アラーム時刻およびアラーム停止時刻の少なくとも一方を含んでもよい。管理コンピュータ３００は、記憶部２１０のデータベースに含まれる情報の少なくとも一部にアクセス可能であってもよい。
【００２９】
管理サーバ２００のユーザ情報受信部２３２は、端末コンピュータ１００の使用者を識別可能なユーザ情報を端末コンピュータ１００から受信する。本実施形態では、ユーザ情報受信部２３２は、アラームの設定通知とともにユーザ情報を端末コンピュータ１００から受信する。本実施形態では、ユーザ情報受信部２３２は、アラームの停止通知とともにユーザ情報を端末コンピュータ１００から受信する。本実施形態では、ユーザ情報受信部２３２は、アラームの設定通知および停止通知に関する情報を、記憶部２１０のデータベースに登録する。
【００３０】
管理サーバ２００の抽選部２３４は、ユーザ情報受信部２３２によってユーザ情報が受信された使用者に対する抽選を実施する。本実施形態では、抽選部２３４は、端末コンピュータ１００からのアラームの停止通知に応じて抽選を実施する。本実施形態では、抽選部２３４は、記憶部２１０のデータベースに登録されている使用者に対して抽選を実施し、記憶部２１０のデータベースに登録されていない使用者に対して抽選を実施しない。
【００３１】
管理サーバ２００の結果送信部２３６は、抽選部２３４によって実施される抽選の結果を示す抽選結果を端末コンピュータ１００に送信する。本実施形態では、抽選結果は、商品の購入に利用できるポイント（点数）を示す情報である。他の実施形態では、抽選結果は、商品提供の当選を示す情報であってもよいし、役務提供の当選を示す情報であってもよい。
【００３２】
図４は、アラームシステム１０の動作を示す説明図である。図４の紙面左側には、端末コンピュータ１００におけるアラーム処理を示すフローチャートが図示されている。図４の紙面右側には、管理サーバ２００における抽選処理を示すフローチャートが図示されている。
【００３３】
端末コンピュータ１００は、使用者からの操作入力に基づいて、図４のアラーム処理を開始する。端末コンピュータ１００は、アラーム処理を開始した後、アラーム設定部１６２の機能に基づいて動作することによって、アラームを出力すべき時刻であるアラーム時刻を、使用者による入力に応じて設定する（ステップＳ１１０）。本実施形態では、端末コンピュータ１００は、アラーム時刻を設定する操作入力を、タッチパネル１１２を介して使用者から受け付ける。
【００３４】
図５は、アラーム時刻を設定する操作入力を受け付けるグラフィカルユーザインタフェース５１０の一例を示す説明図である。グラフィカルユーザインタフェース５１０は、アラームアプリケーション１５０の機能に基づいてタッチパネル１１２に構成される。
【００３５】
グラフィカルユーザインタフェース５１０は、表示部５１２と、表示部５１４と、表示部５１５と、表示部５１６と、表示部５１８とを備える。表示部５１２は、現在時刻を表示する。
【００３６】
表示部５１４は、アラーム時刻として設定する時分のうち「時」を表示する。図５の例では、使用者がタッチパネル１１２上で指を上下に移動させることによって、表示部５１４に表示される「時」が変化する。
【００３７】
表示部５１５は、アラーム時刻として設定する時分のうち「分」を表示する。図５の例では、使用者がタッチパネル１１２上で指を上下に移動させることによって、表示部５１５に表示される「分」が変化する。
【００３８】
表示部５１６は、表示部５１４と表示部５１５の各中央部にわたって設けられている。表示部５１６は、表示部５１４に表示される「時」のうちアラーム時刻として設定する「時」と、表示部５１５に表示される「分」のうちアラーム時刻として設定する「分」とを、それぞれ指し示す。
【００３９】
表示部５１８は、表示部５１６に表示されている時分をアラーム時刻として設定する「オン」状態と、その設定を解除する「オフ」状態との切り替える操作入力を使用者から受け付ける。図５の例では、表示部５１８は、「オン」状態を示す。使用者がタッチパネル１１２上で指を左右に移動させることによって、表示部５１８に表示される「オン」状態と「オフ」状態とが切り替わる。
【００４０】
図４の説明に戻り、アラーム時刻を設定した後（ステップＳ１１０）、端末コンピュータ１００は、アラーム時刻の設定を管理サーバ２００に通知する（ステップＳ１２０）。端末コンピュータ１００は、アラーム時刻の設定通知に合わせて、使用者を示すユーザ情報を管理サーバ２００に送信してもよい。端末コンピュータ１００は、アラーム時刻の設定通知に合わせて、アラーム時刻を示す情報を管理サーバ２００に送信してもよい。他の実施形態では、端末コンピュータ１００は、アラーム時刻の設定を管理サーバ２００に通知しなくてもよい。
【００４１】
管理サーバ２００は、図４の抽選処理を開始した後、端末コンピュータ１００からアラーム時刻の設定通知を受信する（ステップＳ２１０）。本実施形態では、管理サーバ２００は、アラーム時刻の設定通知に応じて、ユーザ情報およびアラーム時刻を記憶部２１０のデータベースに登録する。
【００４２】
端末コンピュータ１００は、アラーム時刻の設定を通知した後（ステップＳ１２０）、現在の時刻がアラーム時刻になったか否かを判断する（ステップＳ１３０）。アラーム時刻になっていない場合（ステップＳ１３０「ＮＯ」）、端末コンピュータ１００は、アラーム時刻になったか否かを引き続き判断する。
【００４３】
現在の時刻がアラーム時刻になった場合（ステップＳ１３０「ＹＥＳ」）、端末コンピュータ１００は、アラーム出力部１６４の機能に基づいて動作することによって、使用者によって認識可能なアラームの出力を開始する（ステップＳ１３５）。本実施形態では、端末コンピュータ１００は、使用者によって認識可能なアラームの出力として、タッチパネル１１２にアラーム時刻である旨を示す画像を表示するとともに、スピーカ１１４から音を発生させる。
【００４４】
アラームの出力を開始した後（ステップＳ１３５）、端末コンピュータ１００は、アラーム停止部１６６の記載に基づいて動作することによって、使用者からアラームを停止する操作入力があるか否かを判断する（ステップＳ１４０）。使用者からアラームを停止する操作入力がない場合（ステップＳ１４０「ＮＯ」）、端末コンピュータ１００は、アラームの出力を継続するとともに、使用者からアラームを停止する操作入力があるか否かを引き続き判断する。使用者からアラームを停止する操作入力がある場合（ステップＳ１４０「ＹＥＳ」）、端末コンピュータ１００は、アラームの出力を停止する（ステップＳ１４５）。
【００４５】
図６は、アラームを停止する操作入力を受け付けるグラフィカルユーザインタフェース５２０の一例を示す説明図である。グラフィカルユーザインタフェース５２０は、アラームアプリケーション１５０の機能に基づいてタッチパネル１１２に構成される。
【００４６】
グラフィカルユーザインタフェース５２０は、表示部５２２と、表示部５２４と、表示部５２６とを備える。表示部５２２は、現在時刻を表示する。表示部５２４は、アラーム時刻を表示する。表示部５２６は、アラームの出力を停止する操作入力を使用者から受け付けるボタンである。図６の例では、表示部５２６には、「アラーム停止」の文字列と、「抽選結果を見る」の文字列とが表示されている。使用者がタッチパネル１１２上で表示部５２６を指で触れた場合、端末コンピュータ１００は、使用者からアラームを停止する操作入力があったと判断する。
【００４７】
図４の説明に戻り、アラームの出力を停止した後（ステップＳ１４５）、端末コンピュータ１００は、停止通知部１７２の機能に基づいて動作することによって、アラームの停止を管理サーバ２００に通知する（ステップＳ１５０）。本実施形態では、端末コンピュータ１００は、停止通知部１７２の機能に基づいてユーザ情報送信部として動作することによって、アラームの停止通知に合わせて、アラーム時刻を設定した使用者を識別可能なユーザ情報を管理サーバ２００に送信する。端末コンピュータ１００は、アラームの停止通知に合わせて、アラームの停止時刻を示す情報を管理サーバ２００に送信してもよい。
【００４８】
管理サーバ２００は、ユーザ情報受信部２３２の機能に基づいて動作することによって、端末コンピュータ１００からアラームの停止通知を受信する（ステップＳ２５０）。アラームの停止通知を受信した後（ステップＳ２５０）、管理サーバ２００は、抽選部２３４の機能に基づいて動作することによって、アラームの停止通知に応じて使用者に対する抽選を実施する（ステップＳ２６０）。本実施形態では、管理サーバ２００は、記憶部２１０のデータベースに抽選結果を登録する。
【００４９】
抽選を実施した後（ステップＳ２６０）、管理サーバ２００は、結果送信部２３６の機能に基づいて動作することによって、その抽選結果を端末コンピュータ１００へ送信する（ステップＳ２７０）。その後、管理サーバ２００は、図４の抽選処理を終了する。
【００５０】
端末コンピュータ１００は、アラームの停止を通知した後（ステップＳ１５０）、結果受信部１７４の機能に基づいて動作することによって、アラームの停止通知に合わせてユーザ情報が送信された使用者に対して管理サーバ２００において実施される抽選の結果を示す抽選結果を、管理サーバ２００から受信する（ステップＳ１７０）。
【００５１】
抽選結果を受信した後（ステップＳ１７０）、端末コンピュータ１００は、結果報知部１７６の機能に基づいて動作することによって、アラームの停止通知に応じて管理サーバ２００から受信した抽選結果を報知する（ステップＳ１８０）。本実施形態では、端末コンピュータ１００は、抽選結果の報知として、抽選結果を示す画像をタッチパネル１１２に表示する。他の実施形態では、端末コンピュータ１００は、抽選結果の報知として、抽選結果を示す音をスピーカ１１４から出力してもよい。抽選結果を報知した後（ステップＳ１８０）、端末コンピュータ１００は、図４のアラーム処理を終了する。
【００５２】
図７は、抽選結果を報知するグラフィカルユーザインタフェース５３０の一例を示す説明図である。グラフィカルユーザインタフェース５３０は、アラームアプリケーション１５０の機能に基づいてタッチパネル１１２に構成される。
【００５３】
グラフィカルユーザインタフェース５３０は、表示部５３２と、表示部５３４と、表示部５３６とを備える。表示部５３２は、現在時刻を表示する。表示部５３４は、アラーム時刻を表示する。表示部５３６は、抽選結果を表示する。図７の例では、表示部５３６には、「抽選結果」の文字列と、抽選結果の内容を示す「大当たり」の文字列とが表示されている。図７の例では、表示部５３６は、使用者から操作入力を受け付けるボタンである。使用者がタッチパネル１１２上で表示部５３６を指で触れた場合、端末コンピュータ１００は、抽選結果の詳細情報をタッチパネル１１２に表示する。
【００５４】
以上説明した第１実施形態によれば、端末コンピュータ１００においてアラーム時刻の設定を行った使用者に対する抽選を管理サーバ２００において実施した後、その抽選結果を端末コンピュータ１００においてアラームの出力停止に応じて報知できる。そのため、抽選結果に対する期待感を使用者に抱かせることによって、アラーム時刻にアラームの出力を停止することに対する使用者の意欲を向上させることができる。その結果、設定された時刻に使用者を覚醒させるアラーム機能を向上させることができる。
【００５５】
また、端末コンピュータ１００は、アラームの停止を管理サーバ２００に通知し、管理サーバ２００は、アラームの停止通知に応じて、抽選を実施した後、抽選結果を端末コンピュータ１００に送信する。これによって、端末コンピュータ１００におけるアラームの停止を契機として、管理サーバ２００において抽選を実施できる。
【００５６】
Ｂ．第２実施形態
第２実施形態におけるアラームシステム１０は、アラーム時刻の設定に応じて抽選が実施される点を除き、第１実施形態と同様である。第２実施形態では、端末コンピュータ１００のアラーム設定部１６２は、アラーム時刻の設定を管理サーバ２００に通知する設定通知部としても動作するとともに、アラーム時刻を設定した使用者を識別可能なユーザ情報を管理サーバ２００に送信するユーザ情報送信部としても動作する。
【００５７】
図８は、第２実施形態におけるアラームシステム１０の動作を示す説明図である。図８には、図４と同様に、端末コンピュータ１００および管理サーバ２００の各フローチャートが図示されている。
【００５８】
第２実施形態の端末コンピュータ１００は、第１実施形態と同様に、アラーム時刻を設定した後（ステップＳ１１０）、アラーム設定部１６２の機能に基づいて設定通知部として動作することによって、アラーム時刻の設定を管理サーバ２００に通知する（ステップＳ１２０）。端末コンピュータ１００は、アラーム設定部１６２の機能に基づいてユーザ情報送信部として動作することによって、アラーム時刻の設定通知に合わせて、使用者を示すユーザ情報を管理サーバ２００に送信する。端末コンピュータ１００は、アラーム時刻の設定通知に合わせて、アラーム時刻を示す情報を管理サーバ２００に送信してもよい。
【００５９】
第２実施形態の管理サーバ２００は、図８の抽選処理を開始した後、ユーザ情報受信部２３２の機能に基づいて動作することによって、端末コンピュータ１００からアラーム時刻の設定通知を受信する（ステップＳ２１０Ｂ）。アラーム時刻の設定通知を受信した後（ステップＳ２１０Ｂ）、管理サーバ２００は、抽選部２３４の機能に基づいて動作することによって、アラームの停止通知に応じて使用者に対する抽選を実施する（ステップＳ２６０Ｂ）。抽選を実施した後（ステップＳ２６０Ｂ）、管理サーバ２００は、結果送信部２３６の機能に基づいて動作することによって、その抽選結果を端末コンピュータ１００へ送信する（ステップＳ２７０Ｂ）。
【００６０】
端末コンピュータ１００は、アラーム時刻の設定を通知した後（ステップＳ１２０）、結果受信部１７４の機能に基づいて動作することによって、アラーム時刻の設定通知に合わせてユーザ情報が送信された使用者に対して管理サーバ２００において実施される抽選の結果を示す抽選結果を、管理サーバ２００から受信する（ステップＳ１２５Ｂ）。
【００６１】
抽選結果を受信した後（ステップＳ１２５Ｂ）、端末コンピュータ１００は、第１実施形態と同様に、現在の時刻がアラーム時刻になったか否かを判断する処理（ステップＳ１３０）から、アラームの出力を停止する処理（ステップＳ１４５）までの処理を実行する。アラームの出力を停止した後（ステップＳ１４５）、端末コンピュータ１００は、結果報知部１７６の機能に基づいて動作することによって、アラーム時刻の設定通知に応じて管理サーバ２００から受信した抽選結果を報知する（ステップＳ１８０Ｂ）。
【００６２】
抽選結果を報知した後（ステップＳ１８０Ｂ）、端末コンピュータ１００は、アラームの停止を管理サーバ２００に通知する（ステップＳ１９０Ｂ）。端末コンピュータ１００は、アラームの停止通知に合わせて、使用者のユーザ情報を管理サーバ２００に送信してもよい。端末コンピュータ１００は、アラームの停止通知に合わせて、アラームの停止時刻を示す情報を管理サーバ２００に送信してもよい。アラームの停止を通知した後（ステップＳ１９０Ｂ）、端末コンピュータ１００は、図８のアラーム処理を終了する。他の実施形態では、端末コンピュータ１００は、アラームの停止を管理サーバ２００に通知しなくてもよい。
【００６３】
管理サーバ２００は、抽選結果を送信した後（ステップＳ２７０Ｂ）、端末コンピュータ１００からアラームの停止通知を受信する（ステップＳ２９０Ｂ）。本実施形態では、管理サーバ２００は、アラームの停止通知に応じて、ユーザ情報および停止時刻を記憶部２１０のデータベースに登録する。その後、管理サーバ２００は、図８の抽選処理を終了する。
【００６４】
以上説明した第２実施形態によれば、端末コンピュータ１００においてアラーム時刻の設定を行った使用者に対する抽選を管理サーバ２００において実施した後、その抽選結果を端末コンピュータ１００においてアラームの出力停止に応じて報知できる。そのため、抽選結果に対する期待感を使用者に抱かせることによって、アラーム時刻にアラームの出力を停止することに対する使用者の意欲を向上させることができる。その結果、設定された時刻に使用者を覚醒させるアラーム機能を向上させることができる。
【００６５】
また、端末コンピュータ１００は、アラーム時刻の設定を管理サーバ２００に通知し、管理サーバ２００は、アラーム時刻の設定通知に応じて、抽選を実施した後、抽選結果を端末コンピュータ１００に送信する。これによって、端末コンピュータ１００におけるアラーム時刻の設定を契機として、管理サーバ２００において抽選を実施できる。また、アラーム時刻を設定する際に端末コンピュータ１００において抽選結果を予め受信することによって、アラームの出力を停止する際に管理サーバ２００と端末コンピュータ１００との間の通信が不安定である場合であっても抽選結果を円滑に報知できる。
【００６６】
Ｃ．第３実施形態
第３実施形態におけるアラームシステム１０は、所定期間中にアラームの出力が停止されない場合に抽選結果が無効になる点を除き、第２実施形態と同様である。
【００６７】
図９は、第３実施形態におけるアラームシステム１０の動作を示す説明図である。図９には、図４と同様に、端末コンピュータ１００および管理サーバ２００の各フローチャートが図示されている。
【００６８】
第３実施形態の端末コンピュータ１００は、第２実施形態と同様に、アラーム時刻の設定通知に応じて抽選結果を管理サーバ２００から受信した後（ステップＳ１２５Ｂ）、現在の時刻がアラーム時刻になった場合（ステップＳ１３０「ＹＥＳ」）、アラームの出力を開始する（ステップＳ１３５）。アラームの出力を開始した後（ステップＳ１３５）、端末コンピュータ１００は、アラームの出力開始から所定期間が経過したか否かを判断する（ステップＳ１３８Ｃ）。本実施形態では、その所定期間は、アラームの出力開始から３０分である。
【００６９】
アラームの出力開始から所定期間が経過していない場合（ステップＳ１３８Ｃ「ＮＯ」）、端末コンピュータ１００は、第１実施形態と同様に、使用者からアラームを停止する操作入力があるか否かを判断する（ステップＳ１４０）。使用者からアラームを停止する操作入力がない場合（ステップＳ１４０「ＮＯ」）、端末コンピュータ１００は、アラームの出力を継続するとともに、アラームの出力開始から所定期間が経過したか否かを判断する（ステップＳ１３８Ｃ）。
【００７０】
アラームの出力開始から所定期間が経過している場合（ステップＳ１３８Ｃ「ＹＥＳ」）、端末コンピュータ１００は、アラームの出力を停止する（ステップＳ１４６Ｃ）。その後、端末コンピュータ１００は、結果受信部１７４の機能に基づいて結果破棄部として動作することによって、アラーム時刻の設定通知に応じて管理サーバ２００から受信した抽選結果を破棄する（ステップＳ１４７Ｃ）。その後、端末コンピュータ１００は、停止通知部１７２の機能に基づいて破棄通知部として動作することによって、抽選結果の破棄を管理サーバ２００に通知する（ステップＳ１４８Ｃ）。その後、端末コンピュータ１００は、図９のアラーム処理を終了する。
【００７１】
第３実施形態の管理サーバ２００は、抽選結果を端末コンピュータ１００へ送信した後（ステップＳ２７０Ｂ）、端末コンピュータ１００からアラームの停止通知があるか否かを判断する（ステップＳ２８２Ｃ）。アラームの停止通知がある場合（ステップＳ２８２Ｃ「ＹＥＳ」）、管理サーバ２００は、第２実施形態と同様に、端末コンピュータ１００からアラームの停止通知を受信する（ステップＳ２９０Ｂ）。
【００７２】
アラームの停止通知がない場合（ステップＳ２８２Ｃ「ＮＯ」）、管理サーバ２００は、端末コンピュータ１００から抽選結果の破棄通知があるか否かを判断する（ステップＳ２８４Ｃ）。抽選結果の破棄通知がない場合（ステップＳ２８４Ｃ「ＮＯ」）、管理サーバ２００は、端末コンピュータ１００からアラームの停止通知があるか否かを判断する（ステップＳ２８２Ｃ）。抽選結果の破棄通知がある場合（ステップＳ２８４Ｃ「ＹＥＳ」）、管理サーバ２００は、ユーザ情報受信部２３２の機能に基づいて結果無効部として動作することによって、抽選結果の破棄通知に応じて、抽選結果を無効にする（ステップＳ２８６Ｃ）。本実施形態では、管理サーバ２００は、記憶部２１０のデータベースに抽選結果の無効を登録することによって、抽選結果を無効にする。抽選結果を無効にした後（ステップＳ２８６Ｃ）、管理サーバ２００は、図９の抽選処理を終了する。
【００７３】
以上説明した第３実施形態によれば、第２実施形態と同様に、端末コンピュータ１００においてアラーム時刻の設定を行った使用者に対する抽選を管理サーバ２００において実施した後、その抽選結果を端末コンピュータ１００においてアラームの出力停止に応じて報知できる。また、使用者による入力に応じてアラームの出力が停止されない場合に抽選結果が無効になるため、アラーム時刻にアラームの出力を停止することに対する使用者の意欲をいっそう向上させることができる。
【００７４】
Ｄ．第４実施形態
第４実施形態のアラームシステム１０は、複数の端末コンピュータ１００のうちの１つである端末コンピュータ１００ａのアラーム機能に関する情報を、管理サーバ２００Ｄを介して、複数の端末コンピュータ１００のうちの１つである他の端末コンピュータ１００ｂに通知する点を除き、第１実施形態と同様である。第４実施形態の構成は、第２および第３実施形態に適用できる。
【００７５】
第４実施形態の端末コンピュータ１００ａは、アラーム設定部１６２の機能に基づいて時刻通知部として動作することによって、アラーム時刻を管理サーバ２００に通知する。第４実施形態の端末コンピュータ１００ａは、停止通知部１７２の機能に基づいて時刻通知部として動作することによって、停止時刻を管理サーバ２００に通知する。他の実施形態では、端末コンピュータ１００ａは、アラーム時刻および停止時刻の一方を管理サーバ２００に通知してもよい。
【００７６】
図１０は、第４実施形態の管理サーバ２００Ｄの詳細構成を示す説明図である。第４実施形態の管理サーバ２００Ｄは、関連通知部２３８Ｄを備える点を除き、第１実施形態の管理サーバ２００と同様である。管理サーバ２００Ｄは、ユーザ情報受信部２３２の機能に基づいて動作することによって、アラーム時刻および停止時刻を端末コンピュータ１００から受信する。本実施形態では、管理サーバ２００Ｄは、端末コンピュータ１００から受信したアラーム時刻および停止時刻を記憶部２１０のデータベースに登録する。
【００７７】
管理サーバ２００Ｄの関連通知部２３８Ｄは、端末コンピュータ１００ａから通知されるアラーム時刻および停止時刻を、端末コンピュータ１００ａに関連付けられた他の端末コンピュータ１００ｂに通知する。本実施形態では、端末コンピュータ１００ａと他の端末コンピュータ１００ｂとの関連付けは、端末コンピュータ１００ａおよび他の端末コンピュータ１００ｂの各使用者の承諾に基づいて、記憶部２１０のデータベースに予め登録されている。他の実施形態では、管理サーバ２００Ｄの関連通知部２３８Ｄは、端末コンピュータ１００ａから通知されるアラーム時刻および停止時刻の一方を、端末コンピュータ１００ａに関連付けられた他の端末コンピュータ１００ｂに通知してもよい。
【００７８】
以上説明した第４実施形態によれば、第１実施形態と同様に、端末コンピュータ１００においてアラーム時刻の設定を行った使用者に対する抽選を管理サーバ２００において実施した後、その抽選結果を端末コンピュータ１００においてアラームの出力停止に応じて報知できる。また、端末コンピュータ１００ａにおけるアラーム時刻および停止時刻の少なくとも一方を、他の端末コンピュータ１００ｂにおいて利用できる。例えば、端末コンピュータ１００ａにおけるアラーム時刻および停止時刻の少なくとも一方を、他の端末コンピュータ１００ｂを使用する使用者に対して報知してもよい。
【００７９】
Ｅ．第５実施形態
第５実施形態のアラームシステム１０は、使用者が抽選キャンペーンを選択できる点を除き、第１実施形態と同様である。第５実施形態の構成は、第２〜第４実施形態に適用できる。
【００８０】
図１１は、第５実施形態のアラームシステム１０における端末コンピュータ１００Ｅおよび管理サーバ２００Ｅの詳細構成を示す説明図である。第５実施形態のアラームシステム１０は、端末コンピュータ１００Ｅと、管理サーバ２００Ｅとを備える。
【００８１】
第５実施形態の管理サーバ２００Ｅは、端末コンピュータ１００Ｅの使用者が参加可能な抽選キャンペーンを端末コンピュータ１００Ｅに通知するキャンペーン通知部２３１Ｅを備える点を除き、第１実施形態の管理サーバ２００と同様である。本実施形態では、抽選キャンペーンは、管理コンピュータ３００によって記憶部２１０のデータベースに予め登録され、キャンペーン通知部２３１Ｅは、記憶部２１０のデータベースに登録されている抽選キャンペーンのうち、端末コンピュータ１００Ｅの使用者が参加可能な抽選キャンペーンを端末コンピュータ１００Ｅに通知する。
【００８２】
第５実施形態の端末コンピュータ１００Ｅは、キャンペーン提示部１８２Ｅと、キャンペーン選択部１８４Ｅと、参加通知部１８６Ｅとを備える点を除き、第１実施形態の端末コンピュータ１００と同様である。
【００８３】
端末コンピュータ１００Ｅのキャンペーン提示部１８２Ｅは、管理サーバ２００Ｅから通知される抽選キャンペーンを使用者に提示する。本実施形態では、キャンペーン提示部１８２Ｅは、タッチパネル１１２を通じて画像を表示することによって、抽選キャンペーンを使用者に提示する。
【００８４】
端末コンピュータ１００Ｅのキャンペーン選択部１８４Ｅは、キャンペーン提示部１８２Ｅによって提示される抽選キャンペーンの中から、使用者が参加する抽選キャンペーンを、使用者による入力に基づいて選択する。本実施形態では、キャンペーン選択部１８４Ｅは、タッチパネル１１２を通じた使用者による入力に基づいて抽選キャンペーンを選択する。
【００８５】
図１２は、抽選キャンペーンを選択する操作入力を受け付けるグラフィカルユーザインタフェース５４０Ｅの一例を示す説明図である。グラフィカルユーザインタフェース５４０Ｅは、アラームアプリケーション１５０の機能に基づいてタッチパネル１１２に構成される。
【００８６】
グラフィカルユーザインタフェース５４０Ｅは、表示部５４２と、表示部５４４と、表示部５４８とを備える。表示部５４２は、現在時刻を表示する。
【００８７】
表示部５４４は、抽選キャンペーンの選択を受け付けるラジオボタンである。使用者がタッチパネル１１２上で表示部５４４を指で触れた場合、触れた部位に応じた抽選キャンペーンが１つ選択される。図１２の例では、キャンペーン０１〜０５までの５つの抽選キャンペーンが提示されており、そのうち、キャンペーン０３が選択されている。
【００８８】
表示部５４８は、抽選キャンペーンの決定を受け付けるボタンである。図１２の例では、表示部５４８には、「決定」の文字列が表示されている。使用者がタッチパネル１１２上で表示部５４８を指で触れた場合、端末コンピュータ１００のキャンペーン選択部１８４Ｅは、表示部５４４で選択されている抽選キャンペーンを、使用者が参加する抽選キャンペーンと判断する。
【００８９】
図１１の説明に戻り、端末コンピュータ１００Ｅの参加通知部１８６Ｅは、キャンペーン選択部１８４Ｅによって選択される抽選キャンペーンを、使用者が参加する抽選キャンペーンとして管理サーバ２００Ｅに通知する。本実施形態では、管理サーバ２００Ｅは、参加通知部１８６Ｅによる通知に基づいて、使用者が参加する抽選キャンペーンを記憶部２１０のデータベースに登録する。
【００９０】
管理サーバ２００Ｅの抽選部２３４は、使用者が参加している抽選キャンペーンに関連付けられた抽選を実施する。例えば、商品の購入に利用できるポイントに関する抽選キャンペーンの場合、抽選部２３４は、使用者に付与するポイント数を決定する抽選を実施する。例えば、商品提供に関する抽選キャンペーンの場合、抽選部２３４は、商品提供の当落を決定する抽選を実施する。
【００９１】
以上説明した第５実施形態によれば、第１実施形態と同様に、端末コンピュータ１００Ｅにおいてアラーム時刻の設定を行った使用者に対する抽選を管理サーバ２００Ｅにおいて実施した後、その抽選結果を端末コンピュータ１００Ｅにおいてアラームの出力停止に応じて報知できる。また、端末コンピュータ１００Ｅの使用者が所望する抽選キャンペーンの抽選結果を、アラームの出力停止に応じて報知できる。そのため、抽選結果に対する更なる期待感を使用者に抱かせることによって、アラーム時刻にアラームの出力を停止することに対する使用者の意欲をいっそう向上させることができる。
【００９２】
Ｆ．第６実施形態
第６実施形態のアラームシステム１０は、管理サーバから提供される音声データを端末コンピュータにおいてアラームとして出力する点を除き、第１実施形態と同様である。第６実施形態の構成は、第２〜第５実施形態に適用できる。
【００９３】
図１３は、第６実施形態のアラームシステム１０における端末コンピュータ１００Ｆおよび管理サーバ２００Ｆの詳細構成を示す説明図である。第６実施形態のアラームシステム１０は、端末コンピュータ１００Ｆと、管理サーバ２００Ｆとを備える。
【００９４】
第６実施形態の管理サーバ２００Ｆは、音声データ送信部２３３Ｆを備える点を除き、第１実施形態の管理サーバ２００と同様である。音声データ送信部２３３Ｆは、抽選部２３４によって実施される抽選に関連付けられた音声データＡＤを端末コンピュータ１００Ｆに送信する。音声データＡＤは、音声、音楽、動物の声、自然の音などを含む音を再生するためのオーディオデータである。本実施形態では、音声データＡＤは、管理コンピュータ３００を通じて記憶部２１０のデータベースに登録される。本実施形態では、音声データ送信部２３３Ｆは、アラーム時刻の設定通知に応じて、音声データＡＤを端末コンピュータ１００Ｆに送信する。
【００９５】
第６実施形態の端末コンピュータ１００Ｆは、音声データ受信部１９２Ｆと、音声データ記憶部１９４Ｆと、音声データ消去部１９６Ｆとを備える点を除き、第１実施形態の端末コンピュータ１００と同様である。
【００９６】
端末コンピュータ１００Ｆの音声データ受信部１９２Ｆは、音声データＡＤを管理サーバ２００Ｆから受信する。本実施形態では、音声データ受信部１９２Ｆは、アラーム時刻の設定通知の応答として、音声データＡＤを管理サーバ２００Ｆから受信する。今回のアラーム時刻の設定通知を実施する前に管理サーバ２００Ｆから音声データＡＤを受信している場合、音声データ受信部１９２Ｆは、音声データＡＤを管理サーバ２００Ｆから再度受信しなくてもよい。
【００９７】
端末コンピュータ１００Ｆの音声データ記憶部１９４Ｆは、管理サーバ２００Ｆから受信した音声データＡＤを記憶する。端末コンピュータ１００Ｆのアラーム出力部１６４は、アラーム時刻に達する際、音声データ記憶部１９４Ｆに記憶されている音声データＡＤをアラームとして出力する。音声データ記憶部１９４Ｆは、アラームの出力が停止された後も引き続き音声データＡＤを記憶する。
【００９８】
端末コンピュータ１００Ｆの音声データ消去部１９６Ｆは、音声データＡＤに対応する抽選に関連付けられた期間の経過後、音声データ記憶部１９４Ｆから音声データＡＤを消去する。抽選に関連付けられた期間は、例えば、特定の日時までの期間であってもよいし、音声データＡＤを受信してから特定の期間であってもよいし、抽選への参加を受け付けるキャンペーン期間であってもよい。本実施形態では、音声データＡＤは、音声データ記憶部１９４Ｆから消去すべき期間を示す情報を含む。
【００９９】
以上説明した第６実施形態によれば、第１実施形態と同様に、端末コンピュータ１００Ｆにおいてアラーム時刻の設定を行った使用者に対する抽選を管理サーバ２００Ｆにおいて実施した後、その抽選結果を端末コンピュータ１００Ｆにおいてアラームの出力停止に応じて報知できる。また、抽選に関連付けられた音声データＡＤを端末コンピュータ１００Ｆにおいてアラームとして出力できる。また、抽選に関連付けられた期間の経過後には、抽選に関連付けられた音声データＡＤが端末コンピュータ１００Ｆから消去されるため、音声データＡＤの不正使用を防止できる。
【０１００】
Ｇ．第７実施形態
第７実施形態のアラームシステム１０は、管理サーバからストリーミング方式で提供される音声データを端末コンピュータにおいてアラームとして出力する点を除き、第１実施形態と同様である。第６実施形態の構成は、第２〜第５実施形態に適用できる。
【０１０１】
図１４は、第７実施形態のアラームシステム１０における端末コンピュータ１００Ｇおよび管理サーバ２００Ｇの詳細構成を示す説明図である。第７実施形態のアラームシステム１０は、端末コンピュータ１００Ｇと、管理サーバ２００Ｇとを備える。
【０１０２】
第７実施形態の管理サーバ２００Ｇは、音声データ送信部２３３Ｇを備える点を除き、第１実施形態の管理サーバ２００と同様である。音声データ送信部２３３Ｇは、抽選部２３４によって実施される抽選に関連付けられた音声データＡＤをストリーミング方式で端末コンピュータ１００Ｇに送信する。音声データＡＤは、音声、音楽、動物の声、自然の音などを含む音を再生するためのオーディオデータである。本実施形態では、音声データＡＤは、管理コンピュータ３００を通じて記憶部２１０のデータベースに登録される。本実施形態では、音声データ送信部２３３Ｇは、アラーム時刻に達する際、音声データＡＤをストリーミング方式で端末コンピュータ１００Ｆに送信する。
【０１０３】
第７実施形態の端末コンピュータ１００Ｇは、ストリーミング方式で提供される音声データＡＤをアラームとして出力する点を除き、第１実施形態の端末コンピュータ１００と同様である。端末コンピュータ１００Ｇのアラーム出力部１６４は、アラーム時刻に達する際、ストリーミング方式で管理サーバ２００Ｇから送信される音声データＡＤをアラームとして出力する。
【０１０４】
以上説明した第７実施形態によれば、第１実施形態と同様に、端末コンピュータ１００Ｇにおいてアラーム時刻の設定を行った使用者に対する抽選を管理サーバ２００Ｇにおいて実施した後、その抽選結果を端末コンピュータ１００Ｇにおいてアラームの出力停止に応じて報知できる。また、抽選に関連付けられた音声データＡＤを端末コンピュータ１００Ｇにおいてアラームとして出力できる。また、ストリーミング方式で送信される音声データＡＤは、アラームとして出力された後に端末コンピュータ１００Ｇから消去されるため、音声データＡＤの不正使用を防止できる。
【０１０５】
Ｈ．他の実施形態
本発明は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【符号の説明】
【０１０６】
１０…アラームシステム
１００，１００Ｅ，１００Ｆ，１００Ｇ，１００ａ，１００ｂ…端末コンピュータ
１１２…タッチパネル
１１４…スピーカ
１５０…アラームアプリケーション
１６２…アラーム設定部
１６４…アラーム出力部
１６６…アラーム停止部
１７２…停止通知部
１７４…結果受信部
１７６…結果報知部
１８２Ｅ…キャンペーン提示部
１８４Ｅ…キャンペーン選択部
１８６Ｅ…参加通知部
１９２Ｆ…音声データ受信部
１９４Ｆ…音声データ記憶部
１９６Ｆ…音声データ消去部
２００，２００Ｄ，２００Ｅ，２００Ｆ，２００Ｇ…管理サーバ
２１０…記憶部
２３１Ｅ…キャンペーン通知部
２３２…ユーザ情報受信部
２３３Ｆ…音声データ送信部
２３３Ｇ…音声データ送信部
２３４…抽選部
２３６…結果送信部
２３８Ｄ…関連通知部
３００…管理コンピュータ
５１０…グラフィカルユーザインタフェース
５１２，５１４，５１５，５１６，５１８…表示部
５２０…グラフィカルユーザインタフェース
５２２，５２４，５２６…表示部
５３０…グラフィカルユーザインタフェース
５３２，５３４，５３６…表示部
５４０Ｅ…グラフィカルユーザインタフェース
５４２，５４４，５４８…表示部
８００…コンピュータネットワーク
【図１】
2018128880.tif 000003
【図２】
2018128880.tif 000004
【図３】
2018128880.tif 000005
【図４】
2018128880.tif 000006
【図５】
2018128880.tif 000007
【図６】
2018128880.tif 000008
【図７】
2018128880.tif 000009
【図８】
2018128880.tif 000010
【図９】
2018128880.tif 000011
【図１０】
2018128880.tif 000012
【図１１】
2018128880.tif 000013
【図１２】
2018128880.tif 000014
【図１３】
2018128880.tif 000015
【図１４】
2018128880.tif 000016
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
アラームシステムであって、
使用者によって操作可能に構成された端末コンピュータと、
前記端末コンピュータとコンピュータネットワークを介してデータをやり取り可能に構成された管理サーバと
を備え、
前記端末コンピュータは、
アラームを出力すべき時刻であるアラーム時刻を、前記使用者による入力に応じて設定するアラーム設定部と、
前記アラーム設定部によって設定される前記アラーム時刻に達する際、前記使用者によって認識可能なアラームを出力するアラーム出力部と、
前記使用者による入力に応じて、前記アラーム出力部による前記アラームの出力を停止するアラーム停止部と、
前記アラーム時刻を設定した前記使用者を識別可能なユーザ情報を前記管理サーバに送信するユーザ情報送信部と、
前記ユーザ情報送信部によって前記管理サーバに前記ユーザ情報が送信された前記使用者に対して前記管理サーバにおいて実施される抽選の結果を示す抽選結果を、前記管理サーバから受信する結果受信部と、
前記アラーム停止部による前記アラームの出力停止に応じて、前記結果受信部によって受信される前記抽選結果を報知する結果報知部と
を含み、
前記管理サーバは、
前記ユーザ情報を前記端末コンピュータから受信するユーザ情報受信部と、
前記ユーザ情報受信部によって前記ユーザ情報が受信された前記使用者に対する抽選を実施する抽選部と、
前記抽選部によって実施される前記抽選の結果を示す抽選結果を前記端末コンピュータに送信する結果送信部と
を含み、
前記管理サーバは、更に、前記使用者が参加可能な抽選キャンペーンを前記端末コンピュータに通知するキャンペーン通知部を含み、
前記端末コンピュータは、更に、
前記管理サーバから通知される前記抽選キャンペーンを前記使用者に提示するキャンペーン提示部と、
前記キャンペーン提示部によって提示される抽選キャンペーンの中から、前記使用者が参加する抽選キャンペーンを、前記使用者による入力に基づいて選択するキャンペーン選択部と、
前記キャンペーン選択部によって選択される抽選キャンペーンを、前記使用者が参加する抽選キャンペーンとして前記管理サーバに通知する参加通知部と
を含み、
前記管理サーバの前記抽選部は、前記ユーザ情報受信部によって前記ユーザ情報が受信された前記使用者に対して、前記使用者が参加している抽選キャンペーンに関連付けられた抽選を実施する、アラームシステム。
【請求項２】
請求項１に記載のアラームシステムであって、
前記端末コンピュータは、更に、前記アラーム停止部による前記アラームの停止を前記管理サーバに通知する停止通知部を含み、
前記管理サーバの前記抽選部は、前記停止通知部による前記アラームの停止通知に応じて前記抽選を実施し、
前記管理サーバの前記結果送信部は、前記停止通知部による前記アラームの停止通知に応じて前記抽選結果を前記端末コンピュータに送信する、アラームシステム。
【請求項３】
請求項１に記載のアラームシステムであって、
前記端末コンピュータは、更に、前記アラーム設定部による前記アラーム時刻の設定を前記管理サーバに通知する設定通知部を含み、
前記管理サーバの前記抽選部は、前記設定通知部による前記アラーム時刻の設定通知に応じて前記抽選を実施し、
前記管理サーバの前記結果送信部は、前記設定通知部による前記アラーム時刻の設定通知に応じて前記抽選結果を前記端末コンピュータに送信する、アラームシステム。
【請求項４】
請求項３に記載のアラームシステムであって、
前記端末コンピュータは、更に、
前記アラーム時刻から所定期間中に前記アラーム停止部によって前記アラームの出力が停止されない場合、前記結果受信部によって受信される前記抽選結果を破棄する結果破棄部と、
前記結果破棄部による前記抽選結果の破棄を前記管理サーバに通知する破棄通知部と
を含み、
前記管理サーバは、更に、前記破棄通知部による前記抽選結果の破棄通知に応じて、前記抽選結果を無効にする結果無効部を含む、アラームシステム。
【請求項５】
請求項１から請求項４までのいずれか一項に記載のアラームシステムであって、
前記端末コンピュータは、更に、前記アラーム設定部によって設定される前記アラーム時刻と、前記アラーム停止部によって前記アラームを停止した停止時刻との少なくとも一方を、前記管理サーバに通知する時刻通知部を備え、
前記管理サーバは、更に、前記時刻通知部によって通知される前記アラーム時刻および前記停止時刻の少なくとも一方を、前記端末コンピュータに関連付けられた他の端末コンピュータに通知する関連通知部を含む、アラームシステム。
【請求項６】
請求項１から請求項５までのいずれか一項に記載のアラームシステムであって、
前記管理サーバは、更に、前記抽選に関連付けられた音声データを前記端末コンピュータに送信する音声データ送信部を含み、
前記端末コンピュータは、更に、
前記音声データを前記管理サーバから受信する音声データ受信部と、
前記管理サーバから受信した前記音声データを記憶する音声データ記憶部と、
前記抽選に関連付けられた期間の経過後、前記音声データ記憶部から前記音声データを消去する音声データ消去部と
を含み、
前記端末コンピュータの前記アラーム出力部は、前記アラーム設定部によって設定される前記アラーム時刻に達する際、前記音声データ記憶部に記憶されている前記音声データを前記アラームとして出力する、アラームシステム。
【請求項７】
請求項１から請求項５までのいずれか一項に記載のアラームシステムであって、
前記管理サーバは、更に、前記抽選に関連付けられた音声データをストリーミング方式で前記端末コンピュータに送信する音声データ送信部を含み、
前記端末コンピュータの前記アラーム出力部は、前記アラーム設定部によって設定される前記アラーム時刻に達する際、ストリーミング方式で前記管理サーバから送信される前記音声データを前記アラームとして出力する、アラームシステム。
【請求項８】
使用者によって操作可能に構成されるとともに管理サーバとコンピュータネットワークを介してデータをやり取り可能に構成された端末コンピュータであって、
アラームを出力すべき時刻であるアラーム時刻を、前記使用者による入力に応じて設定するアラーム設定部と、
前記アラーム設定部によって設定される前記アラーム時刻に達する際、前記使用者によって認識可能なアラームを出力するアラーム出力部と、
前記使用者による入力に応じて、前記アラーム出力部による前記アラームの出力を停止するアラーム停止部と、
前記アラーム時刻を設定した前記使用者を識別可能なユーザ情報を前記管理サーバに送信するユーザ情報送信部と、
前記ユーザ情報送信部によって前記管理サーバに前記ユーザ情報が送信された前記使用者に対して前記管理サーバにおいて実施される抽選の結果を示す抽選結果を、前記管理サーバから受信する結果受信部と、
前記アラーム停止部による前記アラームの出力停止に応じて、前記結果受信部によって受信される前記抽選結果を報知する結果報知部と、
前記管理サーバから通知される前記使用者が参加可能な抽選キャンペーンを前記使用者に提示するキャンペーン提示部と、
前記キャンペーン提示部によって提示される抽選キャンペーンの中から、前記使用者が参加する抽選キャンペーンを、前記使用者による入力に基づいて選択するキャンペーン選択部と、
前記キャンペーン選択部によって選択される抽選キャンペーンを、前記管理サーバにおいて実施される前記抽選に関連付けられる抽選キャンペーンとして、前記管理サーバに通知する参加通知部と
を備える端末コンピュータ。
【請求項９】
使用者によって操作可能に構成されるとともに管理サーバとコンピュータネットワークを介してデータをやり取り可能に構成された端末コンピュータに、
アラームを出力すべき時刻であるアラーム時刻を、前記使用者による入力に応じて設定するアラーム設定機能と、
前記アラーム設定機能によって設定される前記アラーム時刻に達する際、前記使用者によって認識可能なアラームを出力するアラーム出力機能と、
前記使用者による入力に応じて、前記アラーム出力機能による前記アラームの出力を停止するアラーム停止機能と、
前記アラーム時刻を設定した前記使用者を識別可能なユーザ情報を前記管理サーバに送信するユーザ情報送信機能と、
前記ユーザ情報送信機能によって前記管理サーバに前記ユーザ情報が送信された前記使用者に対して前記管理サーバにおいて実施される抽選の結果を示す抽選結果を、前記管理サーバから受信する結果受信機能と、
前記アラーム停止機能による前記アラームの出力停止に応じて、前記結果受信機能によって受信される前記抽選結果を報知する結果報知機能と、
前記管理サーバから通知される前記使用者が参加可能な抽選キャンペーンを前記使用者に提示するキャンペーン提示機能と、
前記キャンペーン提示機能によって提示される抽選キャンペーンの中から、前記使用者が参加する抽選キャンペーンを、前記使用者による入力に基づいて選択するキャンペーン選択機能と、
前記キャンペーン選択機能によって選択される抽選キャンペーンを、前記管理サーバにおいて実施される前記抽選に関連付けられる抽選キャンペーンとして、前記管理サーバに通知する参加通知機能と
を実現させるためのプログラム。